(57)【要約】【課題】振動によって充電可能な携帯通信端末装置において、振動回数とバッテリー充電状態の変化を容易に把握出来るようにした。【解決手段】振動式発電機１０９を備え、振動によりバッテリー１０８を充電可能な携帯通信端末装置１０において、振動センサ１０７により振動を検出してその回数を計数し、充電状態検出器１０５によりバッテリー１０８の残量を検出し、ディスプレイ１０３にバッテリー残量と振動回数とを同時に表示する。更に、メモリ１０４内に、バッテリー残量と残り使用時間との関係を示すテーブル情報を備え、バッテリー残量と振動回数と共に、残り使用時間も同時にディスプレイ１０３の画面に表示する【選択図】      図１
2008172882.tif 000002
【特許請求の範囲】
【請求項１】
振動式発電機を備え、振動によりバッテリーを充電可能な携帯通信端末装置において、バッテリー残量と前記振動の回数とをディスプレイ画面に同時に表示することを特徴とする携帯通信端末装置。
【請求項２】
バッテリー残量と前記携帯通信端末装置の残り使用時間との関係を示す情報をメモリ内に備え、バッテリー残量と前記振動の回数と共に、前記残り使用時間も同時にディスプレイ画面に表示することを特徴とする請求項１記載の携帯通信端末装置。
【請求項３】
前記残り使用時間の延長分に必要な振動回数に関する情報を、更にディスプレイ画面に表示することを特徴とする請求項２記載の携帯通信端末装置。
【請求項４】
バッテリーと、情報を表示するディスプレイと、振動により発電し前記バッテリーを充電する振動式発電機と、前記振動を検出する振動センサと、前記バッテリーの残量を検出する充電状態検出器と、前記バッテリーの残量と前記振動センサが検出した振動の回数とを前記ディスプレイに同時に表示するよう制御する制御手段とを備えたことを特徴とする携帯通信端末装置。
【請求項５】
バッテリー残量と前記携帯通信端末装置の残り使用時間との関係を示す情報を記憶するメモリを更に備え、バッテリー残量と前記振動の回数と共に、前記残り使用時間も同時に前記ディスプレイに表示することを特徴とする請求項４記載の携帯通信端末装置。
【請求項６】
前記残り使用時間の表示は、待ち受け時の残り時間と、通話時の残り時間との両方を表示することを特徴とする請求項５記載の携帯通信端末装置。
【請求項７】
前記メモリ内に、前記残り使用時間の延長分に必要な振動回数に関する情報を更に備え、前記残り使用時間の延長分に必要な振動回数に関する情報を前記ディスプレイに表示することを特徴とする請求項５乃至６の何れか１つに記載の携帯通信端末装置。
【請求項８】
振動式発電機を備え、振動によりバッテリーを充電可能な携帯通信端末装置の制御方法において、
振動センサにより前記振動を検出してその回数を計数し、
充電状態検出器により前記バッテリーの残量を検出し、
ディスプレイに、前記バッテリーの残量と前記振動の回数とを同時に表示する、
ことを特徴とする携帯通信端末装置の制御方法。
【請求項９】
メモリに、バッテリー残量と前記携帯通信端末装置の残り使用時間との関係を示す情報を予め記憶し、
バッテリー残量と前記振動の回数と共に、前記残り使用時間も同時に前記ディスプレイに表示することを特徴とする請求項８記載の携帯通信端末装置の制御方法。
【請求項１０】
前記残り使用時間の表示は、待ち受け時の残り時間と通話時の残り時間との両方を表示することを特徴とする請求項９記載の携帯通信端末装置。
【請求項１１】
前記メモリ内に、前記残り使用時間の延長分に必要な振動回数に関する情報を更に備え、前記残り使用時間の延長分に必要な振動回数に関する情報を前記ディスプレイに表示することを特徴とする請求項９乃至１０の何れか１つに記載の携帯通信端末装置。
【発明の詳細な説明】
【技術分野】
【０００１】
本発明は、携帯通信端末装置、及び、携帯通信端末装置の制御方法に関する。
【背景技術】
【０００２】
携帯電話機に代表される携帯通信端末装置は、使用すると共にバッテリー残量が減っていくので、携帯通信端末装置のユーザは、常にバッテリー残量を気にしなくてはならない。例えば、特開２００２−４４２３２号公報（特許文献１）には、電源オフ時においてもバッテリー残量を表示部で確認することが出来る携帯電話機が開示されている。
【０００３】
携帯通信端末装置のバッテリーが切れてしまった時には、何らかの形で充電しなければならない。一般的な従来の携帯通信端末装置は、充電手段として外部の電源や乾電池等を用いる必要がある。もし、携帯通信端末装置単体で充電可能ならば、アウトドア等の厳しい環境下においても長時間の使用が可能となり、又、環境保護の観点からも有用である。特開２００１−１８６６７８号公報（特許文献２）には、圧電発電器を備え、振動を加えることで充電を可能にした携帯型電子機器が開示されている。
【０００４】
【特許文献１】特開２００２−４４２３２号公報
【特許文献２】特開２００１−１８６６７８号公報
【発明の開示】
【発明が解決しようとする課題】
【０００５】
特許文献２に記載の携帯型電子機器においては、緊急時に振動を加えることで充電が可能となるが、振動回数は表示されない。従って、その振動回数と充電状態／バッテリー残量との関係が分かりにくいという課題がある。尚、特許文献１記載の携帯電話機においては、単にバッテリー残量のみを表示するに過ぎない。
【０００６】
本発明の目的は、上述した従来の課題を解決する携帯通信端末装置、及び、携帯通信端末装置の制御方法を提供することにある。
【課題を解決するための手段】
【０００７】
本発明の第１の携帯通信端末装置は、振動式発電機を備え、振動によりバッテリーを充電可能な携帯通信端末装置において、バッテリー残量と前記振動の回数とをディスプレイ画面に同時に表示することを特徴とする。
【０００８】
又、本発明の第１の携帯通信端末装置において、バッテリー残量と前記携帯通信端末装置の残り使用時間との関係を示す情報をメモリ内に備え、バッテリー残量と前記振動の回数と共に、前記残り使用時間も同時にディスプレイ画面に表示するようにしても良い。
【０００９】
又、本発明の第１の携帯通信端末装置において、前記残り使用時間の延長分に必要な振動回数に関する情報を、更にディスプレイ画面に表示するようにしても良い。
【００１０】
本発明の第２の携帯通信端末装置は、バッテリーと、情報を表示するディスプレイと、振動により発電し前記バッテリーを充電する振動式発電機と、前記振動を検出する振動センサと、前記バッテリーの残量を検出する充電状態検出器と、前記バッテリーの残量と前記振動センサが検出した振動の回数とを前記ディスプレイに同時に表示するよう制御する制御手段とを備えたことを特徴とする。
【００１１】
又、本発明の第２の携帯通信端末装置において、バッテリー残量と前記携帯通信端末装置の残り使用時間との関係を示す情報を記憶するメモリを更に備え、バッテリー残量と前記振動の回数と共に、前記残り使用時間も同時に前記ディスプレイに表示するようにしても良い。
【００１２】
又、本発明の第２の携帯通信端末装置において、前記残り使用時間の表示は、待ち受け時の残り時間と、通話時の残り時間との両方を表示するようにしても良い。
【００１３】
又、本発明の第２の携帯通信端末装置において、前記メモリ内に、前記残り使用時間の延長分に必要な振動回数に関する情報を更に備え、前記残り使用時間の延長分に必要な振動回数に関する情報を前記ディスプレイに表示するようにしても良い。
【００１４】
本発明の携帯通信端末装置の制御方法は、振動式発電機を備え、振動によりバッテリーを充電可能な携帯通信端末装置の制御方法において、振動センサにより前記振動を検出してその回数を計数し、充電状態検出器により前記バッテリーの残量を検出し、ディスプレイに、前記バッテリーの残量と前記振動の回数とを同時に表示する、ことを特徴とする。
【００１５】
又、本発明の携帯通信端末装置の制御方法において、メモリに、バッテリー残量と前記携帯通信端末装置の残り使用時間との関係を示す情報を予め記憶し、バッテリー残量と前記振動の回数と共に、前記残り使用時間も同時に前記ディスプレイに表示するようにしても良い。
【００１６】
又、本発明の携帯通信端末装置の制御方法において、前記残り使用時間の表示は、待ち受け時の残り時間と通話時の残り時間との両方を表示するようにしても良い。
【００１７】
又、本発明の携帯通信端末装置の制御方法において、前記メモリ内に、前記残り使用時間の延長分に必要な振動回数に関する情報を更に備え、前記残り使用時間の延長分に必要な振動回数に関する情報を前記ディスプレイに表示するようにしても良い。
【発明の効果】
【００１８】
本発明によれば、振動付加によって充電可能な携帯通信端末装置において、振動回数とバッテリー残量とを同時に表示可能としたので、ユーザが充電目的で意図的に携帯通信端末装置を振った場合等に、充電状態の変化が容易に把握出来るという効果がある。
【発明を実施するための最良の形態】
【００１９】
次に、本発明を実施するための最良の形態について図面を参照して詳細に説明する。図１は、本発明の一実施形態の主要構成を示す機能ブロック図である。図１を参照すると、本発明の一実施形態における携帯通信端末装置１０は、ＣＰＵ（Ｃｅｎｔｒａｌ  Ｐｒｏｃｅｓｓｉｎｇ  Ｕｎｉｔ）１０１と、無線部１０２と、ディスプレイ１０３と、メモリ１０４と、充電状態検出器１０５と、操作キー１０６と、振動センサ１０７と、バッテリー１０８と、振動式発電機１０９とを備えている。
【００２０】
ＣＰＵ１０１は、携帯通信端末装置１０の各部を制御する為の制御手段である。無線部１０２は、アンテナ（図示せず）を介して無線通信システムの無線基地局（図示せず）と無線通信を行う。ディスプレイ１０３は、携帯通信端末装置１０のユーザに対して各種情報を表示する為の表示手段である。メモリ１０４は、携帯通信端末装置１０内で使用する制御プログラムやユーザデータ等を記憶する。充電状態検出器１０５は、バッテリー１０８の充電状態を検出する。操作キー１０６は、ユーザの操作を入力する為の入力手段である。
【００２１】
振動センサ１０７は、携帯通信端末装置１０の振動を検出して、その振動回数をＣＰＵ１０１に通知する。ＣＰＵ１０１は、通知を受けた振動回数をメモリ１０４に保存している。この振動回数のＣＰＵ１０１への通知及びメモリ１０４への保存は、振動検知の都度行っても良いし、或いは、所定回数増加毎や所定時間毎に行うようにしても良い。本実施形態において、この振動回数のデータは、携帯通信端末装置が通常備える時計機能により日付が変わる度にリセットされ、メモリ１０４にはその日の振動回数が保存されている。しかしながら、必ずしもその形態には限定されない。又、振動センサ１０７は振動の検出とその通知のみを行い、ＣＰＵ１０１が振動の回数を計数するようにしても良い。
【００２２】
振動式発電機１０９は、内部に微小なコイルと磁石が内蔵されており、その磁石が携帯通信端末装置１０の振動によってコイルに対して移動することで、起電力を発生するタイプの発電機である。
【００２３】
本発明の一実施形態においては、振動を加えることによりバッテリー１０８の充電が可能であるが、ただ振っているだけでは、バッテリー１０８の残量がどのように変化しているかは分からない。そこで、本発明では、ディスプレイ１０３により充電状態のモニタが可能となっている。
【００２４】
図２は、本発明の一実施形態におけるディスプレイの表示例を示し、（ａ）は機能選択時のアイコンメニュー画面例を、（ｂ）は充電状態のモニタ画面例を、各々示す図である。ユーザの操作キー１０６の操作により、図２（ｂ）に示すように、ディスプレイ１０３の画面には、その日の振動回数と、バッテリー残量の図示と、待ち受け状態及び通話状態における残りの使用時間の目安が表示される。
【００２５】
図３は、本発明の一実施形態におけるメモリ１０４内のテーブル情報の一例を示す図である。バッテリー残量と待ち受け状態及び通話状態における残りの使用時間（目安時間）との関係は、図３のように、テーブル情報としてメモリ１０４に格納されている。充電状態検出器１０５からは、バッテリー１０８の残量がパーセント値で出力される為、ＣＰＵ１０１はそのバッテリー残量に基づいた値をこのテーブルから参照し、ディスプレイ１０３のモニタ画面に表示する。
【００２６】
次に、本発明を実施するための最良の形態の動作について図面を参照して説明する。図４は、本発明の一実施形態の動作を示すフローチャートである。まず、携帯通信端末装置１０のユーザは、操作キー１０６の操作により機能選択を行う。具体的には、機能選択のアイコンメニューを、図２（ａ）のようにディスプレイ１０３に表示させ、アイコンメニューに設けられた「自動充電」アイコン２０を、操作キー１０６によって選択する。携帯通信端末装置１０のＣＰＵ１０１は、その操作を検出すると（図４のステップＳ４０１）、メモリ１０４に保存されている振動回数を読み出す（ステップＳ４０２）。
【００２７】
続いてＣＰＵ１０１は、充電状態検出器１０５の出力によりバッテリー残量を確認する（ステップＳ４０３）。更に、ＣＰＵ１０１は、確認したバッテリー残量によりメモリ１０４内のテーブル（図３）を参照し、そのバッテリー残量における残り使用時間（待ち受け及び通話）を確認する（図４のステップＳ４０４）。最後に、ＣＰＵ１０１は、ディスプレイ１０３の画面を図２（ｂ）に図示したような、充電状態のモニタ画面に切り替える。このモニタ画面では、振動回数、バッテリー残量と、待ち受け状態及び通話状態における残りの使用時間の目安が表示される（ステップＳ４０５）。
【００２８】
図２（ｂ）の例示では、振動回数４５６７回、バッテリー残量５０％、待ち受け状態での残り使用時間２００時間、通話状態での残り使用時間３０分であることが分かる。この画面を見たユーザは、残り使用時間が少ないと感じた場合は、携帯通信端末装置１０を振ることにより、バッテリー残量と残り使用時間が増加した様子を確認することが出来る。
【００２９】
尚、図４のフローチャートにおいて、ユーザの終了操作が入力されるまでステップＳ４０２からＳ４０５の処理を繰り返すようにしても良い。その場合には、図２（ｂ）の充電モニタ画面のままで携帯通信端末装置１０に振動を加えて充電を行い、振動回数、バッテリー残量、残り使用時間が変化する様子をリアルタイムで確認することが出来る。
【００３０】
又、本発明の実施形態において、どの程度の回数の振動を加えれば、残り使用時間がどの程度延長されるかについてのテーブル情報を、更にメモリ１０４に記憶させておき、充電モニタ画面においてディスプレイ１０３にその情報を表示するようにしても良い。この表示は、例えば、残り待受時間を「Ｘ」時間延長するには、あと「Ｙ」回の振動が必要というような表示である。その表示は、図２（ｂ）の充電モニタ画面と同時に表示しても良いし、或いは、別の画面（充電モニタ画面における次ページの画面）に表示するようにしても良い。そのようにすると、ユーザは必要な残り使用時間と表示された残り使用時間とを照らし合わせて、携帯通信端末装置１０を更にどの程度振ればよいのかを容易に知ることが出来る。
【００３１】
尚、本発明は上述の実施形態のみに限定されるものではなく、本発明の要旨を逸脱しない範囲で種々変形して実施することが出来る。
【図面の簡単な説明】
【００３２】
【図１】本発明の一実施形態の主要構成を示す機能ブロック図である。
【図２】本発明の一実施形態におけるディスプレイの表示例を示し、（ａ）は機能選択時のアイコンメニュー画面例を、（ｂ）は充電状態のモニタ画面例を、各々示す図である。
【図３】本発明の一実施形態におけるメモリ内のテーブル情報の一例を示す図である。
【図４】本発明の一実施形態の動作を示すフローチャートである。
【符号の説明】
【００３３】
１０    携帯通信端末装置
２０    アイコン
１０１    ＣＰＵ
１０２    無線部
１０３    ディスプレイ
１０４    メモリ
１０５    充電状態検出器
１０６    操作キー
１０７    振動センサ
１０８    バッテリー
１０９    振動式発電機
【図１】
2008172882.tif 000003
【図２】
2008172882.tif 000004
【図３】
2008172882.tif 000005
【図４】
2008172882.tif 000006